(57)【要約】【課題】  衣料品の様々な陳列方法に対して、お客様の視野に必ず入ることができる衣料品特性表示ラベルを得る。【解決手段】  衣料品特性表示ラベルは台形の立方体形状で構成され、ラベルの差し替え移動を可能にすることによって、様々な陳列スタイルでも商品の特性を訴求することができる。パッケージ入りの折りたたんだ衣料品においては、四隅の何れかに衣料品ラベルが挟み込まれた完成品を、積み重ねて陳列する場合、衣料品特性表示ラベルが積み重ね面に露出するため、商品特性を容易に認識することができる。また、パッケージから取り出した商品をハンガーに吊るして陳列する場合は、衣料品特性表示ラベルを取り外し、ハンガーの上部に差し替え移動することで、個々の商品特性を容易に認識することができる。【選択図】図１
0003158365.tif 000002
【実用新案登録請求の範囲】
【請求項１】
パッケージに入れた衣料品や、パッケージから外した衣料品に使用する差し替え移動が可能な商品特性表示ラベル。
【考案の詳細な説明】
【技術分野】
【０００１】  この考案は、陳列スタイルが異なっても、ラベルを差し替え移動可能な方法で添付し、商品特性を明確に訴求できる衣料品特性表示ラベルに関するものである。
【背景技術】
【０００２】  従来の衣料品特性表示ラベルは、衣料品の表面に固着添付していたため、陳列スタイルを横向きや斜め、積み重ねにした場合、お客様の目線から衣料品特性表示ラベルが視野に入らないものであった。
【考案の概要】
【考案が解決しようとする課題】
【０００４】  上述のような従来のラベルは、衣料品を折りたたんでパッケージに入れた状態で陳列する方法と、パッケージを外して裸で陳列する方法の何れかによって、衣料品特性表示ラベルの訴求効果は異なっている。これはお客様の目線が商品の正面にだけしか注がれないことを前提としたラベルの添付方法に問題があり、実際の陳列には横向きや斜め向き、積み重ね陳列など、必ずしもお客様目線の正面に商品の正面があるわけではなく、陳列方法によってはお客様の目線から隠れてしまう問題点がある。【０００５】  パッケージに入った商品を積み重ねて陳列する場合、最上部の商品ラベルはお客様の視界に入るが二段目以下は商品に挟まれてラベルの商品特性を確認することができないという問題点を解決するものである。【０００６】  パッケージから商品を取り出して横向きや斜めにハンガーで吊るして陳列をすると、商品特性表示ラベルは商品と商品の間に挟まれてしまい、お客様の視界には商品特性表示ラベルは存在しないという問題点を解決するものである。
【課題を解決するための手段】
【０００７】  この考案のラベル形状は、四側面が台形で囲まれた立方体で、上部から下部までは空洞で構成されており、商品特性の説明は四側面の各一面づつに記載し、異なる角度から見ても商品の特性を認識可能にしたものである。【０００８】  この考案のラベル形状は、四側面の内、対面する二側面が台形で他の対面する二側面は長方形の形状に囲まれた立方体で、上部から下部までは空洞で構成されており、商品の特性は四側面の各一面づつに記載し、異なる角度から見ても認識可能にしたものである。【０００９】  この考案のラベルで商品特性を効果的に訴求する方法としては、商品を四角に折りたたみ、何れかの一角に立方体の衣料品特性表示ラベルを差し込み、パッケージに入れて完成品とする。このパッケージ入り商品を積み重ね式陳列にし、商品の一角に差し込まれた衣料品特性表示ラベルを最上段から最下段までのそれぞれを露出させることで記載事項を認識できるようにしたものである。【００１０】  この考案のラベルで商品の特性を効果的に訴求する二つ目の方法としては、パッケージから商品を取り出して四角に折りたたまれた状態を解き、ハンガーに吊るして陳列する場合、商品の完成品として差し込まれていた立方体の衣料品特性表示ラベルを抜き取り、ハンガーの上部に差し替え移動する。ハンガーに吊るした商品を正面向きや横向き、斜め向き、それぞれの手法で陳列しても、ハンガー上部がお客様の目線から隠れることはない。従って、ハンガー上部に差し替え移動した衣料品特性表示ラベルもお客様の目線からは全てが見渡せることで、記載された商品の特性を認識できるようにしたものである。
【考案の効果】
【００１１】  この考案のラベルは、素材として紙質を主に使用するが、皮、ビニール、ゴム、化学繊維等の紙質ではない他素材も使用し、商品の付加価値を高めることができる。この考案のラベルは、衣料品を販売する上で最も重要とする商品の特性を消費者へ確実に伝える訴求効果である。商品特性を詳しく記載しても、商品陳列によってお客様の視野から外れてしまう問題点は、商品の正面にラベルを固着添付することにあったが、移動可能な衣料品特性表示ラベルにしたことで、異なる陳列スタイルでも商品の特性を訴求することが可能となった。【００１２】  この考案のラベルは、積み重ね式陳列でお客様への訴求効果を発揮すると同様に、店頭の棚卸作業や物流倉庫での詰め合わせ作業にも役立つ。店頭や物流倉庫では発注と受注の業務おいて、伝票発行後の作業は人の認識力が正確でなければならないが、サイズやカラーなどの規格を含む衣料品特性表示ラベルが商品と商品に挟まれていては商品を見間違える原因でもあったが、この考案はその問題点をも解決している。
【図面の簡単な説明】
【００１３】
【図１】  この考案の実施の形態１を示す衣料品特性表示ラベルの四側面台形の斜視図ａ、正面図ｂ、平面図ｃである。
【図２】  この考案の実施の形態１を示す衣料品特性表示ラベルの四側面の内の二側面が台形、残りの二側面が長方形の斜視図、正面図ｂ、平面図ｃである。
【図３】  この考案の実施の形態１を示す衣料品特性表示ラベルのパッケージ入り商品の使用方法図である。
【図４】  この考案の実施の形態１を示す衣料品特性表示ラベルのパッケージから商品を取り出してハンガーに吊るした使用方法図である。
【考案を実施するための形態】
【実施例１】
【００１４】  図１のａは、この一実施の形態を示す衣料品特性表示ラベルの斜視図である。１は３と同じ形状の台形で、２は４と同じ形状の台形であり、この四側面で構成された台形立方体は５の上部から下部までが空洞になっている。図１のｂは衣料品特性表示ラベルの正面図である。図１のｃは衣料品特性表示ラベルの平面図であり、四側面の各面が台形であることを示している。【００１５】  図２のａは、この一実施の形態を示す衣料品特性表示ラベルの斜視図である。６は８と同じ形状の長方形で、７は９と同じ形状の台形であり、この四側面で構成された台形立方体は５の上部から下部までが空洞になっている。図２のｂは衣料品特性表示ラベルの正面図である。図２のｃは衣料品特性表示ラベルの平面図であり、四側面の内、１１と１２は長方形であることを示している。【００１６】  図３のａは、衣料品を折りたたんだ図である。Ｘは台形立方体の衣料品特性表示ラベルを、折りたたんだ衣料品の角に差し込んだ図であり、１３の面、１５の面、１４の面、図面には示されていない裏面を合わせた４方面から特性表示を認識することができる。【００１７】  図４のａは，パッケージから衣料品を取り出してハンガーに吊るした図である。Ｙは図３のＸに示した衣料品特性表示ラベルを抜き取り、ハンガーの上部へ移動したもので、１８の面、１９の面、２０の面、図面には示されていない裏面を合わせた４方面から特性表示を認識することができる。図４のｂはパッケージから衣料品を取り出してハンガーに吊るし、横向きにした図である。２１はラベルの二側面形状が台形でも長方形でも構わないが、ハンガーの厚みや商品の厚みの事情によって自在に変更製作できることを示している。
【符号の説明】
【００１８】  １  衣料品特性表示ラベルの側面、  ２  衣料品特性表示ラベルの正面、  ３  衣料品特性表示ラベルの側面、  ４  衣料品特性表示ラベルの裏面、  ５  衣料品特性表示ラベルの上部、  ６  衣料品特性表示ラベルの側面、  ７  衣料品特性表示ラベルの正面、  ８  衣料品特性表示ラベルの側面、  ９  衣料品特性表示ラベルの裏面、  １０  衣料品特性表示ラベルの上部、  １１  衣料品特性表示ラベルの長方形側面、  １２  衣料品特性表示ラベルの長方形側面、  Ｘ  折りたたみ衣料品に差し込まれた衣料品特性表示ラベル、  １３  折りたたみ衣料品に差し込まれた衣料品特性表示ラベルの側面、  １４  折りたたみ衣料品に差し込まれた衣料品特性表示ラベルの正面、  １５  折りたたみ衣料品に差し込まれた衣料品特性表示ラベルの側面、  １６  積み重ね陳列の衣料品特性表示ラベル側面、  Ｙ  ハンガーに差し替え移動した衣料品特性表示ラベル、  １８  ハンガーに差し替え移動した衣料品特性表示ラベルの側面、  １９  ハンガーに差し替え移動した衣料品特性表示ラベルの正面、  ２０  ハンガーに差し替え移動した衣料品特性表示ラベルの側面、  ２１  横向き陳列の衣料品特性表示ラベルの側面、  ２２  衣料品の横向き陳列
【図１】
0003158365.tif 000003
【図２】
0003158365.tif 000004
【図３】
0003158365.tif 000005
【図４】
0003158365.tif 000006
【手続補正書】
【提出日】平成21年8月11日(2009.8.11)
【手続補正１】
【補正対象書類名】実用新案登録請求の範囲
【補正対象項目名】全文
【補正方法】変更
【補正の内容】
【実用新案登録請求の範囲】
【請求項１】
紙や樹脂、ビニール、ゴム等を素材とした四側面を壁面で構成した形状で、四側面の内、少なくとも二側面の壁面は台形で形成され、上部はから下部にかけては空洞にすることで、四角に折りたたんだ衣料品の一角に差し込むことができるとともに、衣料品をパッケージから外して裸でハンガーに吊した場合でも、ハンガーの上部に差し込むことができる差し替え移動が可能な商品特性表示ラベル。
【手続補正書】
【提出日】平成21年10月31日(2009.10.31)
【手続補正１】
【補正対象書類名】実用新案登録請求の範囲
【補正対象項目名】全文
【補正方法】変更
【補正の内容】
【実用新案登録請求の範囲】
【請求項１】
紙や樹脂、ビニール、ゴム等を素材とした四側面を壁面で構成した形状で、四側面の内、少なくとも二側面の壁面は台形で形成され、上部から下部にかけては空洞にすることで、四角に折りたたんだ衣料品の一角に差し込むことができるとともに、衣料品をパッケージから外して裸でハンガーに吊した場合でも、ハンガーの上部に差し込むことができる差し替え移動が可能な商品特性表示ラベル。
【手続補正書】
【提出日】平成22年1月6日(2010.1.6)
【手続補正１】
【補正対象書類名】実用新案登録請求の範囲
【補正対象項目名】全文
【補正方法】変更
【補正の内容】
【実用新案登録請求の範囲】
【請求項１】
紙や樹脂、ビニール、ゴムを素材とした四側面を壁面で構成した形状で、四側面の内、少なくとも二側面の壁面は台形で形成され、上部はから下部にかけては空洞にすることで、四角に折りたたんだ衣料品の一角に差し込むことができるとともに、衣料品をパッケージから外して裸でハンガーに吊した場合でも、ハンガーの上部に差し込むことができる差し替え移動が可能な商品特性表示ラベル。